(57)【要約】【課題】配線基板の回路構成の自由度が増し、また、配線基板間の電気的な接続箇所が少なくなり、また、配線基板間の電気的接続の作業性が向上し、さらに、部品数が削減し、小型化した電子制御ユニットを提供する。【解決手段】配線基板１１Ａが内側に取付けられたケース１０Ａと、配線基板１１Ｂが内側に取付けられたケース１０Ｂとを備え、ケース１０Ａにはコネクタ部３Ａが設けられ、ケース１０Ｂにはコネクタ部３Ｂが設けられ、コネクタ部３Ａとコネクタ部３Ｂは、ケース１０Ａとケース１０Ｂを嵌合させると、外部に電気的に接続するコネクタ３を形成し、配線基板１１Ａには接続部７Ａが設けられ、配線基板１１Ｂには接続部７Ｂが設けられており、ケース１０Ａとケース１０Ｂを嵌合させると同時に、接続部７Ａと接続部７Ｂが電気的に接続する。【選択図】　　　　図２
2004055411.tif 000002
【特許請求の範囲】
【請求項１】
第１接続端子と接続する第１配線基板が内側に取付けられた第１のケースと、第２接続端子と接続する第２配線基板が内側に取付けられた第２のケースとを備えた電子制御ユニットであって、前記第１のケースには前記第１接続端子を収容する第１コネクタ部が設けられ、前記第２のケースには前記第２接続端子を収容する第２コネクタ部が設けられ、該第１コネクタ部と該第２コネクタ部は、第１のケースと第２のケースを嵌合したとき、外部との電気接続を行うためのコネクタを形成することを特徴とする電子制御ユニット。
【請求項２】
前記第１配線基板には第１接続部が設けられ、前記第２配線基板には第２接続部が設けられており、前記第１のケースと第２のケースを嵌合させると同時に、前記第１配線基板と前記第２配線基板が前記第１接続部と前記第２接続部の接続により電気的に接続することを特徴とする請求項１記載の電子制御ユニット。
【発明の詳細な説明】
【０００１】
【発明の属する技術分野】
本発明は、自動車などに搭載する電子制御ユニットに関する。
【０００２】
【従来の技術】
従来の電子制御ユニットについて、図４（ａ）、（ｂ）を用いて説明する。この電子制御ユニット２０は、外部負荷の制御やＳＷ信号処理などを行うものである。
電子制御ユニット２０は、マイコンなどの制御部品１２を搭載して制御回路を構成した配線基板１１Ａ（制御回路配線基板）と、リレー１３および電力供給部品１４などを搭載して負荷を駆動するために電力を供給する負荷駆動回路を構成した配線基板１１Ｂ（負荷回路配線基板）と、外部と電気的に接続するコネクタ１９を備えている。
配線基板１１Ａは第１のケース１０Ａ（図中、上側のケース）に取付けられており、配線基板１１Ｂは第２のケース１０Ｂ（図中、下側のケース）に取付けられている。また、コネクタ１９は、第２のケース１０Ｂに一体に成形されている。
【０００３】
第１のケース１０Ａの右側壁には、複数の端子１６Ａ（図４では４本）が上下方向に埋め込まれており、端子１６Ａの一端は配線基板１１Ａにワイヤー１５で接続している。また、第２のケース１０Ｂの右側壁には、複数の端子１６Ｂ（図４では４本）が埋め込まれており、端子１６Ｂの一端は配線基板１１Ｂにワイヤー１５で接続している。端子１６Ａと端子１６Ｂの他端は第１のケース１０Ａ、第２のケース１０Ｂの右側壁の外側で半田１７で接続している。端子１６Ａと端子１６Ｂの半田１７による接続部は、保護ケース１８で保護されている。
【０００４】
コネクタ１９の端子１６Ｃは配線基板１１Ｂにワイヤー１５で接続している。端子１６Ｃは外部と電気接続を行う。
【０００５】
【発明が解決しようとする課題】
上述の電子制御ユニット２０には以下のような問題があった。即ち、
１）第１のケース１０Ａに取付けられた配線基板１１Ａと外部との電気的接続は、第２のケース１０Ｂに取付けられた配線基板１１Ｂを介して行うため、配線基板１１Ａ、１１Ｂの回路構成の自由度が制約され、また、配線基板１１Ａと配線基板１１Ｂの接続箇所（端子１６Ａと端子１６Ｂの接続箇所）が多くなる。
２）第１のケース１０Ａと第２のケース１０Ｂに上下方向に設けられた端子１６Ａと端子１６Ｂの接続作業は、図４（ａ）に示すように、半田接続作業を行うために、端子１６Ａと端子１６Ｂは第１のケース１０Ａと第２のケース１０Ｂの外側に引き出した形状になっている。そして、この半田接続部を外気などの影響を受けないようにするために、保護ケース１８という部品が必要になり、コストアップの要因となる。
３）さらに、保護ケース１８が必要であるので、保護ケース１８のスペース分だけ電子制御ユニット２０が大型化する。
【０００６】
【課題を解決するための手段】
本発明は上記問題点を解決すべくなされたもので、請求項１記載の発明は、第１接続端子と接続する第１配線基板が内側に取付けられた第１のケースと、第２接続端子と接続する第２配線基板が内側に取付けられた第２のケースとを備えた電子制御ユニットであって、前記第１のケースには前記第１接続端子を収容する第１コネクタ部が設けられ、前記第２のケースには前記第２接続端子を収容する第２コネクタ部が設けられ、該第１コネクタ部と該第２コネクタ部は、第１のケースと第２のケースを嵌合したとき、外部との電気接続を行うためのコネクタを形成することを特徴とするものである。
【０００７】
また、請求項２記載の発明は、請求項１記載の発明において、前記第１配線基板には第１接続部が設けられ、前記第２配線基板には第２接続部が設けられており、前記第１のケースと第２のケースを嵌合させると同時に、前記第１配線基板と前記第２配線基板が前記第１接続部と前記第２接続部の接続により電気的に接続することを特徴とするものである。
【０００８】
請求項１記載の発明によれば、第１のケースに取付けられた第１配線基板は、同じく第１のケースに設けられた第１コネクタ部を介して外部に電気的に接続し、第２のケースに取付けられた第２配線基板は、同じく第２のケースに設けられた第２コネクタ部を介して外部に電気的に接続する。
したがって、一方の配線基板、例えば第２配線基板のみにコネクタが設けられ、第１配線基板が第２配線基板を介し、迂回して外部に電気的に接続する場合に比して、第１配線基板と第２配線基板との間の電気的接続箇所が少なくなる。また、第２配線基板に、第１配線基板からの通電回路を設ける必要がなくなり、第２配線基板の回路密度が減少し、回路構成の自由度が増す。
【０００９】
また、請求項２記載の発明によれば、第１のケースと第２のケースを嵌合させると同時に、前記第１配線基板と前記第２配線基板を、前記第１接続部と前記第２接続部の接続により、電気的に接続することができる。
したがって、第１接続部と第２接続部の電気的接続を別工程で行う必要がなく、作業性が向上し、言い換えると、第１配線基板と第２配線基板の電気的接続の作業性が向上する。また、第１接続部と第２接続部の電気的接続は、嵌合させられた第１のケースおよび第２のケース内で行うことができるので、特別な部品（例えば従来の保護ケース）は不要になり、部品数が減少してコストダウンにつながる。さらに、第１接続部と第２接続部の電気的接続箇所を嵌合した第１のケースおよび第２のケース内に納めることができるので、第１および第２のケースの外側にスペースを要することがなく、小型化する。
【００１０】
【発明の実施の形態】
以下、図面に基づいて本発明の実施の形態を詳細に説明する。
図１、図２および図３はそれぞれ、本発明にかかる電子制御ユニットの一実施形態の斜視図、分解断面図および要部断面拡大図である。図１〜図３において、図４に関して説明した部分と同部分は同符号で指示している。
【００１１】
本実施形態の電子制御ユニット１は、図１に示すように、第１のケース１０Ａと第２のケース１０Ｂを上下方向に嵌合させ、組付けたものである。第１のケース１０Ａの側面には、第１の係合部２Ａが設けられ、第２のケース１０Ｂの側面には、前記係合部２Ａと係合する第２の係合部２Ｂが設けられており、係合部２Ａと係合部２Ｂを上下方向に係合させることにより、第１のケース１０Ａと第２のケース１０Ｂが上下方向に嵌合し、組付けられる。３は外部に電気的に接続するコネクタである。
なお、係合部２Ａ、２Ｂは、第１のケース１０Ａと第２のケース１０Ｂのコネクタ３が設けられた側面を除いた３側面に設けられている（図１には１箇所のみ示されている）。
【００１２】
第１のケース１０Ａは、図２に示すように、左側面にコネクタ３の上部を構成する第１コネクタ部３Ａが立設するように一体に設けられ、第１コネクタ部３Ａには外部と電気的に接続する第１接続端子４Ａが絶縁保持されている。また、第１のケース１０Ａ内には、制御部品１２が搭載され、第１接続部７Ａが設けられた第１の配線基板１１Ａ（制御回路配線基板）が第１のケース１０Ａの内面から浮くようにねじ５で取付けられている。第１コネクタ部３Ａの第１接続端子４Ａはワイヤー６で配線基板１１Ａに接続している。
【００１３】
また、第２のケース１０Ｂは、左側面にコネクタ３の下部を構成する第２コネクタ部３Ｂが立設するように一体に設けられ、第２コネクタ部３Ｂには外部と電気的に接続する第２接続端子４Ｂが絶縁保持されている。また、第２のケース１０Ｂ内には、リレー１３および電力供給部品１４などが搭載され、第２接続部７Ｂが設けられた第２の配線基板１１Ｂ（負荷回路配線基板）がねじ５で取付けられている。第２コネクタ部３Ｂの第２接続端子４Ｂはワイヤー６で配線基板１１Ｂに接続している。
【００１４】
本実施形態が従来例と異なる第１の特徴的なことは、コネクタ３が第１のケース１０Ａに一体に設けられた第１コネクタ部３Ａと、第２のケース１０Ｂに一体に設けられた第２コネクタ部３Ｂとからなり、第１のケース１０Ａと第２のケース１０Ｂを嵌合、組付けることにより、第１コネクタ部３Ａと第２コネクタ部３Ｂが合わさってコネクタ３が形成されていることである。また、第１コネクタ部３Ａは第１のケース１０Ａ内側に取付けられた第１配線基板１１Ａに電気的に接続し、第２コネクタ部３Ｂは第２のケース１０Ｂ内側に取付けられた第２配線基板１１Ｂに電気的に接続していることである。
【００１５】
上述のように、本実施形態では、第１配線基板１１Ａは第１コネクタ部３Ａを介して外部に電気的に接続しているため、従来のように、第２のケース１０Ｂに取付けられた第２配線基板１１Ｂを介して外部に電気的に接続する必要はなくなる。したがって、第１配線基板１１Ａと第２配線基板１１Ｂの電気的接続箇所が少なくなり、第２配線基板１１Ｂの回路密度が減少し、回路構成の自由度が増す。
【００１６】
また、本実施形態が従来例と異なる第２の特徴的なことは、第１のケース１０Ａ内に取付けられた配線基板１１Ａに第１の接続部７Ａが設けられており、第２のケース１０Ｂ内に取付けられた配線基板１１Ｂに、接続部７Ａに上下方向に嵌合して電気的に接続する第２の接続部７Ｂが接続部７Ａに対向するように設けられていることである。
【００１７】
接続部７Ａは、図３に示すように、配線基板１１Ａに設けられた貫通孔８の内面に金属めっき８Ａ（例えば銅、半田）を施したものである。
また、接続部７Ｂは、貫通孔８に圧入される角ピン状の雄端子９を配線基板１１Ｂに立設したものである。雄端子９の圧入される先端部には、Ｈ形状の貫通孔９Ａが長手方向の軸に直交するように設けられている。
したがって、雄端子９を貫通孔８に圧入し嵌合させると、雄端子９の先端部は側面からの押圧に対して弾性変形し、雄端子９は貫通孔８に容易に嵌合して、貫通孔８と電気的に良好に接続する。
【００１８】
前述のように、図２に示した状態で、第１のケース１０Ａと第２のケース１０Ｂを上下方向から近づけて、第１のケース１０Ａの係合部２Ａと第２のケース１０Ｂの係合部２Ｂを係合させて、第１のケース１０Ａと第２のケース１０Ｂを嵌合し、組付けて、電子制御ユニット１を形成する。
この組付けの際に、第２のケース１０Ｂに取付けられた配線基板１１Ｂの接続部７Ｂである雄端子９は、第１のケース１０Ａに取付けられた配線基板１１Ａの接続部７Ａである貫通孔８に圧入され、配線基板１１Ａと配線基板１１Ｂが電気的に接続する。
【００１９】
本実施形態によれば、第１のケース１０Ａと第２のケース１０Ｂを上下方向から近づけて嵌合し組付けると、同時に、配線基板１１Ａの接続部７Ａと配線基板１１Ｂの接続部７Ｂを嵌合させて電気的に接続させることができるので、配線基板１１Ａと配線基板１１Ｂの電気的接続作業は容易に行うことができる。
また、接続部７Ａと接続部７Ｂの嵌合部分は、組付けられた第１のケース１０Ａと第２のケース１０Ｂ内に納まるので、従来のように、接続部７Ａと接続部７Ｂの接続した部分が第１のケース１０Ａと第２のケース１０Ｂの外側に拡がることがない。したがって、電子制御ユニット１は小型化し、接続部７Ａと接続部７Ｂが接続した部分を保護する保護ケースは不要になる。
【００２０】
なお、上記実施形態は、本発明を具体化した一例であって、本願発明の技術的範囲を限定するものではない。例えば、上記実施形態とは逆に、第１のケースに取付けられた第１配線基板に雄端子からなる接続部を設け、第２のケースに取付けられた第２配線基板に貫通孔からなる接続部を設けてもよい。また、接続部となる雄端子の形状も上記実施形態に示された形状に限定されることはない。さらに、相互に電気的に接続する第１接続部と第２接続部の形状は、雄端子と貫通孔である必要はない。
【００２１】
【発明の効果】
以上説明したように、請求項１記載の発明によれば、第１配線基板と第２配線基板の回路構成の自由度が増し、また、第１配線基板と第２配線基板との間の電気的な接続箇所が少なくなるという優れた効果がある。
また、請求項２記載の発明によれば、第１配線基板と第２配線基板の電気的接続の作業性が向上し、また、部品数が削減し、さらに小型化するという優れた効果がある。
【図面の簡単な説明】
【図１】本発明に係る電子制御ユニットの一実施形態の斜視図である。
【図２】上記実施形態の分解断面図である。
【図３】上記実施形態の要部断面拡大図である。
【図４】（ａ）、（ｂ）はそれぞれ、従来の電子制御ユニットの上下方向の断面図およびそのＡ−Ａ断面図である。
【符号の説明】
１　　　　　　　電子制御ユニット
２Ａ、２Ｂ　　　係合部
３　　　　　　　コネクタ
３Ａ　　　　　　第１コネクタ部
３Ｂ　　　　　　第２コネクタ部
４Ａ　　　　　　第１接続端子
４Ｂ　　　　　　第２接続端子
５　　　　　　　ねじ
６　　　　　　　ワイヤー
７Ａ、７Ｂ　　　接続部
８、９Ａ　　　　貫通孔
８Ａ　　　　　　金属めっき
９　　　　　　　雄端子
１０Ａ　　　　　　第１のケース
１０Ｂ　　　　　　第２のケース
１１Ａ、１１Ｂ　　配線基板
１２　　　　　　　制御部品
１３　　　　　　　リレー
１４　　　　　　　電力供給部品
【図１】
2004055411.tif 000003
【図２】
2004055411.tif 000004
【図３】
2004055411.tif 000005
【図４】
2004055411.tif 000006